(57)【要約】【課題】比較的簡易な構成によって内容物の脱落を防止することが可能な商品包装袋を提供する。【解決手段】袋１００は、端縁８と端縁８に対向する端縁９とを含む４つの端縁を有するシート１０が折り曲げられ、且つ、端縁８と端縁９とを除く２つの端縁のうちの上端１におけるシート１０の内表面同士が溶着されることによって形成される。袋１００においては、端縁８と端縁９とが互いに重なるようにシート１０が折り曲げられる。【選択図】図１
2015024831.tif 000002
【特許請求の範囲】
【請求項１】
一端縁と前記一端縁に対向する他端縁とを含む４つの端縁を有するシートが折り曲げられ、且つ、前記一端縁と前記他端縁とを除く２つの端縁のうちの少なくとも一つの端縁における前記シートの内表面同士が溶着されることによって形成される商品包装袋であって、
前記一端縁と前記他端縁とが互いに重なるように前記シートが折り曲げられた、
商品包装袋。
【請求項２】
粘着性を有するテープを含み、
前記テープは、互いに重ねられた前記一端縁と前記他端縁との隙間を塞ぐように前記シートに貼り付けられる、請求項１に記載の商品包装袋。
【請求項３】
前記一端縁が前記他端縁の外側に載るように前記シートが折り曲げられ、
前記一端縁の内表面と前記他端縁の外表面とが固着するように、前記一端縁と前記他端縁との間に形成される固着部と、
前記一端縁において前記一端縁と前記他端縁とが重なる範囲に形成されたミシン目と、
前記一端縁と前記ミシン目とに挟まれる部分を前記テープに接合させる接合部とを含み、
前記接合部における接合の強度は、前記固着部における固着の強度よりも大きい、
請求項２に記載の商品包装袋。
【請求項４】
個別に包装された内容物が収容された、
請求項１から請求項３までのいずれか１項に記載の商品包装袋。
【発明の詳細な説明】
【技術分野】
【０００１】
本発明は、商品包装袋に関する。
【背景技術】
【０００２】
商品包装袋の一例として、特開２０１１−１５２９３６号公報（以下、特許文献１という）に記載された商品包装袋が知られている。特許文献１に記載の商品包装袋においては、当該商品包装袋の表面フィルムまたは裏面フィルムにミシン目が設けられている。ミシン目は、形成される面を横切る。また、ミシン目が形成されたフィルムの面には、ミシン目を覆うように粘着テープが貼り付けられる。
【０００３】
特許文献１に記載の商品包装袋においては、粘着テープを剥がした後にミシン目に沿ってフィルムを破ることによって、当該商品包装袋を開封することができる。
【先行技術文献】
【特許文献】
【０００４】
【特許文献１】特開２０１１−１５２９３６号公報
【発明の概要】
【発明が解決しようとする課題】
【０００５】
しかしながら、特許文献１に記載の商品包装袋においては、封口を閉じる場合には、粘着テープを用いなければならない。つまり、ミシン目に沿って再び粘着テープを貼り付けない限り、封口が開けられたままである。封口が開いたままの状態においては、内容物が当該商品包装袋から外に落ちるような事態が生じる。また、フィルムにミシン目が形成されることによって、商品包装袋の構成が複雑化する。
【０００６】
このような事態に鑑みて、比較的簡易な構成によって内容物の脱落を防止することが可能な商品包装袋が望まれている。
【０００７】
そこで、本発明の一つの課題は、比較的簡易な構成によって内容物の脱落を防止することが可能な商品包装袋を提供することである。
【０００８】
一方、特許文献１に記載の商品包装袋のように、ミシン目に沿ってフィルムを破ることは、使用者に比較的大きな負担を強いる。つまり、ミシン目に沿ってフィルムを破るために、使用者は、例えば、ミシン目の両脇を摘まんだうえでミシン目を中心に両脇が離れるようにフィルムを広げなければならない。この場合に、使用者は、比較的強く両手に力を入れなければならない。そのため、使用者が容易に開封することができるように構成された商品包装袋として、開封時における使用者の負担を軽減させることが可能な商品包装袋が望まれている。
【０００９】
そこで、本発明のもう一つの課題は、開封時における使用者の負担を軽減させることが可能な商品包装袋を提供することである。
【００１０】
さらに、特許文献１に記載の商品包装袋において、粘着テープによってミシン目を覆うことのみによっては、ミシン目を通して当該商品包装袋の内部と外部とが連通するため、粘着テープとフィルムとの隙間から気体が漏れることを十分に防止することはできない。つまり、粘着テープによってミシン目を覆うことのみによっては、開封前の気密性を十分に保つことは困難である。そのため、開封時における使用者の負担を軽減させることが可能な商品包装袋であって、開封前の気密性を十分に保つことが可能な商品包装袋が望まれている。
【００１１】
そこで、本発明のさらにもう一つの課題は、開封時における使用者の負担を軽減させることが可能であって、且つ、開封前の気密性を十分に保つことが可能な商品包装袋を提供することである。
【課題を解決するための手段】
【００１２】
本発明の一つの課題を解決するための商品包装袋は、一端縁と一端縁に対向する他端縁とを含む４つの端縁を有するシートが折り曲げられ、且つ、一端縁と他端縁とを除く２つの端縁のうちの少なくとも一つの端縁におけるシートの内表面同士が溶着されることによって形成される商品包装袋である。本発明の一つの課題を解決するための商品包装袋においては、一端縁と他端縁とが互いに重なるようにシートが折り曲げられる。
【００１３】
本発明の一つの課題を解決するための商品包装袋においては、当該商品包装袋に収容された内容物を、互いに重ねられた一端縁と他端縁との隙間を通して取り出すことができる。つまり、本発明に従った商品包装袋においては、互いに重ねられた一端縁と他端縁との隙間が内容物を取り出すための開口を形成する。一方、一端縁と他端縁とが互いに重ねられているため、テープを貼り付けること無く、開口を閉じるように一端縁と他端縁との隙間を塞ぐことができる。また、本発明の一つの課題を解決するための商品包装袋は、ミシン目がシートに形成されていない比較的簡易な構成を有する。すなわち、本発明の一つの課題を解決するための商品包装袋においては、比較的簡易な構成であっても、この隙間を塞ぐことができ、内容物の脱落を防止することができる。
【００１４】
このようにすることにより、比較的簡易な構成によって内容物の脱落を防止することが可能な商品包装袋を提供することができる。
【００１５】
本発明のもう一つの課題を解決するための商品包装袋は、好ましくは、粘着性を有するテープを含む。好ましくは、テープは、互いに重ねられた一端縁と他端縁との隙間を塞ぐようにシートに貼り付けられる。
【００１６】
この構成によれば、使用者は、シートを破ること無く、シートからテープを剥がすことによって、隙間を通して内容物を取り出すことができる。つまり、シートを破ること無く、シートからテープを剥がすことによって当該商品包装袋を開封することができる。このように、本発明のもう一つの課題を解決するための商品包装袋においては、開封時における使用者の負担を軽減させることができる。
【００１７】
このようにすることにより、開封時における使用者の負担を軽減させることが可能な商品包装袋を提供することができる。
【００１８】
本発明のさらにもう一つの課題を解決するための商品包装袋においては、一端縁が他端縁の外側に載るようにシートが折り曲げられる。本発明のさらにもう一つの課題を解決するための商品包装袋は、好ましくは、固着部と、ミシン目と、接合部とを含む。固着部は、一端縁の内表面と他端縁の外表面とが固着するように、一端縁と他端縁との間に形成される。ミシン目は、一端縁において、一端縁と他端縁とが重なる範囲に形成される。接合部は、一端縁とミシン目とに挟まれる部分をテープに接合させる。好ましくは、接合部における接合の強度は、固着部における固着の強度よりも大きい。
【００１９】
この構成によれば、シートからテープを剥がすと同時に、テープに連れられて一端縁の一部がミシン目に沿ってシートから切り離されるとともに、一端縁の内表面と他端縁の外表面との固着を解除することができる。これにより、当該商品包装袋において、シートのうちのミシン目の切れ端と他端縁との隙間が、内容物を取り出すための開口として形成される。このように、この構成によれば、使用者は、ミシン目に沿ってシートを破るために、比較的強く両手に力を入れる必要が無く、テープを剥がす要領で当該商品包装袋を開封することができる。このように、本発明のさらにもう一つの課題を解決するための商品包装袋においては、開封時における使用者の負担を軽減させることができる。
【００２０】
さらに、この構成によれば、当該商品包装袋の開封前には、粘着性を有するテープが貼り付けられたシートの下方（内側）の層において、一端縁の内表面と他端縁の外表面とが固着されている。これにより、開封前においては、一端縁の内表面と他端縁の外表面との間に隙間が形成されること無く、気密性を十分に保つことができる。
【００２１】
このようにすることにより、開封時における使用者の負担を軽減させることが可能であって、且つ、開封前の気密性を十分に保つことが可能な商品包装袋を提供することができる。
【００２２】
本発明に従った商品包装袋には、好ましくは、個別に包装された内容物が収容される。
【００２３】
本発明に従った商品包装袋においては、互いに重ねられた一端縁と他端縁との隙間が内容物を取り出すための開口を形成する。しかし、シートにテープを貼り付けない限り、この隙間が完全に閉じられることは無く、当該商品包装袋の内部と外部とは連通する。また、テープを貼り付けたとしても、テープとシートとの隙間から気体が漏れることを十分に防止することはできない。そのため、当該商品包装袋の内部と外部との間における気密性が保持されずに、内容物が空気に晒される。しかしながら、個別に包装された内容物であれば、この内容物を包装する袋等が空気に晒されることがあっても、内容物の品質には大きく影響しない。
【発明の効果】
【００２４】
以上のように、本発明によれば、比較的簡易な構成によって内容物の脱落を防止することが可能な商品包装袋を提供することができる。あるいは、本発明によれば、開封時における使用者の負担を軽減させることが可能な商品包装袋を提供することができる。またあるいは、本発明によれば、開封時における使用者の負担を軽減させることが可能であって、且つ、開封前の気密性を十分に保つことが可能な商品包装袋を提供することができる。
【図面の簡単な説明】
【００２５】
【図１】本発明の第１実施形態の商品包装袋を示す背面図である。
【図２】本発明の第１実施形態の商品包装袋を構成するシートを縮小して示す正面図である。
【図３】本発明の第１実施形態の商品包装袋の一部を拡大して示す断面図であって、図１のＩＩＩ−ＩＩＩ線の断面図である。
【図４】本発明の第２実施形態の商品包装袋を示す背面図である。
【図５】本発明の第２実施形態の商品包装袋を構成するシートを縮小して示す正面図である。
【図６】本発明の第２実施形態の商品包装袋の一部を拡大して示す断面図であって、図４のＶＩ−ＶＩ線の断面図である。
【図７】本発明の第３実施形態の商品包装袋を示す背面図である。
【図８】本発明の第３実施形態の商品包装袋の一部を拡大して示す断面図であって、図７のＶＩＩＩ−ＶＩＩＩ線の断面図である。
【図９】本発明の第３実施形態の商品包装袋の一部を拡大して示す断面図である。
【図１０】本発明の第４実施形態の商品包装袋を示す背面図である。
【図１１】本発明の第４実施形態の商品包装袋の一部を拡大して示す断面図であって、図１０のＸＩ−ＸＩ線の断面図である。
【図１２】本発明の第４実施形態の商品包装袋の一部を拡大して示す断面図である。
【発明を実施するための形態】
【００２６】
以下、本発明の実施の形態を図面に基づいて説明する。
【００２７】
（第１実施形態）
図１に、本発明の第１実施形態の商品包装袋１００を示す。図１は、商品包装袋（以下、袋という）１００を示す背面図である。図１には、袋１００の下端２に形成される開口２ａが開けられた状態の袋１００を示す。袋１００は、シート１０によって構成されている。シート１０は、合成樹脂性のフィルムによって構成される。シート１０は、一端縁としての端縁８と、他端縁としての端縁９とを含む４つの端縁を有する。端縁８と端縁９とは互いに対向する。端縁８と端縁９とは、袋１００の上下方向（図１の上下方向）に沿って延びる。４つの端縁のうちの残りの端縁は、例えば上端１と下端２とである。シート１０から成形された袋１００においては、側縁６と側縁７とが形成される。
【００２８】
袋１００は、上端１を含む袋１００の上側縁部として、透明部３とヘッダ部５とを含む。また、袋１００は、下端２を含む袋１００の下側縁部を含む。また、下側縁部は、透明部４を含む。透明部３とヘッダ部５とにおいては、表側フィルム１０ａと裏側フィルム１０ｂとが溶着されることによって、シート１０の内表面同士が溶着される。これにより、図示しない商品を収容するための空間の上端が形成される。
【００２９】
一方、下端２は開口している。なお、後述するように、ヘッダ部５および透明部３においてシート１０の内表面同士が溶着されると同時に、透明部４を含む下側縁部が、一旦、溶着および切断（つまり、溶断）されていてもよい。溶断の後に、下端２の位置において下側縁部が切断されることによって、下端２が開口する。商品は、この開口２ａを通して内部の空間に投入される。商品が空間に投入された後には、下端２を含む下側縁部におけるシート１０の内表面同士が溶着されることによって、開口２ａが塞がれる。ただし、下側縁部は、袋１００の表側または裏側に折り曲げられたうえで、シート１０の外表面に貼り付けられてもよい。
【００３０】
図２は、シート１０を縮小して示す正面図である。図示していないが、袋１００（図１参照）の材料としてのシート１０は、ロール状に巻かれている。ロール状に巻かれたシート１０が帯状に延びるように引き出されたうえで、製造のラインの上にシート１０が載せられる。帯状のシート１０が所定の長さごとに切断される場合には、図２に示す形状を有するシート１０が形成される。コンベア等のライン上において、シート１０は、矢が示す方向に運搬される。
【００３１】
シート１０は、側縁６と側縁７とが形成される位置において折り返される。例えば、図２の裏側から表側に向かってシート１０が折り返される。これにより、シート１０の端縁８，９が袋１００（図１参照）の背面側に配置されるように、裏側フィルム１０ｂが袋１００の背面側に配置される。シート１０の中心付近に位置する部分は、表側フィルム１０ａを形成する。なお、側縁６，７においてシート１０の内表面同士が溶着されている場合には、側縁６，７における袋１００の強度を向上させることができる。
【００３２】
ヘッダ部５の中心には、孔５０が形成される。図示していないが、ヘッダ部５には、合成紙等の補強用のシート部材が含まれていてもよい。なお、透明部３，４は、シート１０において印刷がなされない透明の部分である。透明部３，４は、商品の出荷前として、商品が袋１００に収容される前後において裁断される部分であってもよい。
【００３３】
図３は、袋１００の一部を拡大して示す断面図であって、図１のＩＩＩ−ＩＩＩ線の断面図である。図３に示すように、シート１０は、端縁８と端縁９とが互いに重なるように折り曲げられる。袋１００においては、端縁８を含む一端側の縁部８０が端縁９を含む他端側の縁部９０に載るように、つまり、端縁８が端縁９よりも外側に配置されるように、シート１０が折り曲げられる。なお、一端側の縁部８０とは、外側（上側）の層の裏側フィルム１０ｂ（図１参照）のうち、内側（下側）の層の裏側フィルム１０ｂと重なる部分のことをいう。一方、他端側の縁部９０とは、内側（下側）の層の裏側フィルム１０ｂのうち、外側（上側）の層の裏側フィルム１０ｂと重なる部分のことをいう。
【００３４】
シート１０には、粘着性を有するテープ２０が貼り付けられる。テープ２０は、互いに重ねられた端縁８と端縁９との隙間、さらには、縁部８０と縁部９０との隙間を塞ぐようにシート１０に貼り付けられる。この隙間は、袋１００の上下方向（図１の上下方向）に沿って形成される。この隙間は、商品としての内容物（図示せず）を取り出すための開口である。テープ２０も、袋１００の上下方向に沿って延びる。テープ２０には、粘着剤層２１が形成されている。端縁８を覆うようにテープ２０が被せられたうえで、シート１０の外表面に粘着剤層２１が接着されることによって、隙間が塞がれる。
【００３５】
袋１００を開封する場合には、テープ２０をシート１０の外表面から剥がす。このように、使用者は、シート１０を破ること無く、シート１０からテープ２０を剥がすことによって袋１００を容易に開封することができる。テープ２０が剥がされることによって、端縁８と端縁９との隙間を通して、袋１００に収容される内容物を取り出すことができる。なお、テープ２０の隅の一部においては、使用者がテープ２０を容易に掴むことができるように、粘着剤層２１が欠落していること、または、粘着剤層２１が隠されていることが好ましい。
【００３６】
内容物を所望の量または数だけ取り出した後には、端縁８を覆うようにテープ２０を被せながらシート１０の外表面にテープ２０を接着することによって、隙間を塞ぐことができる。このように、袋１００は、再封緘が可能であるように構成されている。また、袋１００は、取り出し用の開口を形成するためのミシン目がシート１０に形成されていない比較的簡易な構成を有する。
【００３７】
例えば、ヘッダ部５（図１参照）の溶着の前にテープ２０がシート１０に貼り付けられることによって、テープ２０の一端（上端）がヘッダ部５においてシート１０に接合される。これにより、上端においてテープ２０が常にシート１０に貼り付けられた状態を維持することができるため、テープ２０を利用して容易に袋１００を再封緘することができる。一方、下端２（図１参照）を含む下側縁部においてテープ２０が常にシート１０に貼り付けられた状態を維持することができるように、袋１００が構成されていてもよい。
【００３８】
一方、端縁８と端縁９とが互いに重ねられた袋１００の構成によれば、テープ２０を貼り付けること無く、完全でなくても、取り出し用の開口を閉じるように端縁８と端縁９との隙間を塞ぐことは可能である。すなわち、縁部８０と縁部９０とが重なる範囲を調整することにより、再封緘時にテープ２０が貼り付けられなくても、端縁８と端縁９との隙間を塞ぐことができる。縁部８０と縁部９０とが重なる範囲は、内容物の寸法および形状に応じて調整されることが好ましい。
【００３９】
袋１００には、個別に包装された内容物が収容されることが好ましい。図示しない内容物の例としては、所定数ごとに別の袋に封入された飴玉、菓子もしくは角砂糖等の立体的な固体、所定量ごとに別の袋に封入された砂糖等の細粒、または、個別にケースに封入されたコーヒー用のクリームもしくはシュガーシロップ等の液体である。これらのような食品に限らず、上記のように個別に包装される内容物としては、医薬品または洗剤であってもよい。その他、袋１００に収容される内容物は、内容物が空気に晒されることによって袋１００の内部と外部との間における気密性が保持されない場合でも、品質には影響しないものが好ましい。袋１００には、食品ではない内容物として、文房具等の日用品、または、玩具等、気密性が要求されない物品が収容されていてもよい。
【００４０】
袋１００は、例えば以下の工程を含む方法によって製造および成形される。上記のように、ロール状に巻かれたシート１０が引き出されたうえで、帯状のシート１０がライン上で運搬される（図２参照）。先ず、側縁６の位置と側縁７の位置とにおいてシート１０が折り曲げられる。シート１０の折曲の後には、ヘッダ部５が溶着される。また、シート１０のうちの下端２の位置において、ライン上の後ろに続くシート１０から所定の寸法ごとにシート１０が切り離される。このとき、帯状のシート１０は、ヘッダ部５と透明部３とを含む上側縁部の溶着と、下端２と透明部４とを含む下側縁部の溶着と同時に切断（溶断）されていてもよい。切断されたシート１０の外表面に、所定の寸法（長さ）を有し、且つ、粘着剤層２１（図３参照）を含むテープ２０が貼り付けられる（図１参照）。このように、袋１００においては、ミシン目を付ける工程が省かれるため、比較的少ない工程で製造することができる。製造された袋１００は、好ましくは、下端２の開口２ａ（図１参照）が閉じられていない状態で流通される。
【００４１】
一方、ロール状に巻かれたシート１０が流通されていてもよい。さらに、端縁８を覆うようにテープ２０が裏側フィルム１０ｂに貼り付けられたシート１０であって、ロール状に巻かれたシート１０を流通させることも可能である。この場合には、流通過程においてテープ２０の粘着剤層２１の粘着性の低下を防止するために、粘着剤層２１の一部を覆う剥離テープ（図示せず）がテープ２０の裏面に貼り付けられていることが好ましい。
【００４２】
以上のように、第１実施形態の袋１００は、端縁８と端縁８に対向する端縁９とを含む４つの端縁を有するシート１０が折り曲げられ、且つ、端縁８と端縁９とを除く２つの端縁のうちの上端１におけるシート１０の内表面同士が溶着されることによって形成される。袋１００においては、端縁８と端縁９とが互いに重なるようにシート１０が折り曲げられる。
【００４３】
袋１００においては、袋１００に収容された内容物（図示せず）を、互いに重ねられた端縁８と端縁９との隙間を通して取り出すことができる。つまり、袋１００においては、互いに重ねられた端縁８と端縁９との隙間が内容物を取り出すための開口を形成する。一方、袋１００においては、端縁８と端縁９とが互いに重ねられているため、テープ２０を貼り付けること無く、開口を閉じるように端縁８と端縁９との隙間を塞ぐことができる。また、袋１００は、ミシン目がシート１０に形成されていない比較的簡易な構成を有する。すなわち、袋１００においては、比較的簡易な構成であっても、端縁８と端縁９との隙間を塞ぐことができ、内容物の脱落を防止することができる。
【００４４】
このようにすることにより、比較的簡易な構成によって内容物の脱落を防止することが可能な袋１００を提供することができる。
【００４５】
袋１００は、粘着性を有するテープ２０を含む。テープ２０は、互いに重ねられた端縁８と端縁９との隙間を塞ぐようにシート１０に貼り付けられる。
【００４６】
この構成によれば、使用者は、シート１０を破ること無く、シート１０からテープ２０を剥がすことによって、隙間を通して内容物を取り出すことができる。つまり、シート１０を破ること無く、シート１０からテープ２０を剥がすことによって袋１００を開封することができる。このように、袋１００においては、開封時における使用者の負担を軽減させることができる。
【００４７】
このようにすることにより、開封時における使用者の負担を軽減させることが可能な袋１００を提供することができる。
【００４８】
袋１００には、個別に包装された内容物が収容される。
【００４９】
袋１００においては、互いに重ねられた端縁８と端縁９との隙間が内容物を取り出すための開口を形成する。しかし、シート１０にテープ２０を貼り付けない限り、この隙間が完全に閉じられることは無く、袋１００の内部と外部とは連通する。また、テープ２０を貼り付けたとしても、テープ２０とシート１０との隙間から気体が漏れることを十分に防止することはできない。そのため、袋１００の内部と外部との間における気密性が保持されずに、内容物が空気に晒される。しかしながら、個別に包装された内容物であれば、この内容物を包装する袋等が空気に晒されることがあっても、内容物の品質には大きく影響しない。
【００５０】
なお、テープ２０は、袋１００の正面側に配置されていてもよく、袋１００は正面側から開封される構成であってもよい。言い換えると、図１は、袋１００の正面図であってもよい。
【００５１】
端縁８，９は、直線状の縁であることに限定されない。端縁８，９は、曲線、波線、または、例えば鋸刃のようなジグザグ状に形成された縁であってもよい。
【００５２】
（第２実施形態）
以下において、第２実施形態の商品包装袋（以下、袋という）２００について、図４〜６を用いて説明する。図４は、袋２００を示す背面図である。図５は、袋２００を構成するシート１１０を縮小して示す正面図である。図６は、袋２００の一部を拡大して示す断面図であって、図４のＶＩ−ＶＩ線の断面図である。
【００５３】
第２実施形態の袋２００が第１実施形態の袋１００と異なる点は、袋２００においては、商品としての内容物（図示せず）を取り出すための開口が、袋２００の上下方向ではなく、袋２００の幅方向（図４の左右方向）に沿って形成される。これにより、テープ１２０も袋２００の幅方向に沿って延びる。
【００５４】
図４には、袋２００の下端１０２に形成される開口１０２ａが開けられた状態の袋２００を示す。袋２００を構成するシート１１０は、合成樹脂性のフィルムによって構成される。シート１１０は、一端縁としての端縁１０８と、他端縁としての端縁１０９とを含む４つの端縁を有する。端縁１０８と端縁１０９とは互いに対向する。端縁１０８と端縁１０９とは、袋２００の幅方向（図４の左右方向）に沿って延びる。４つの端縁のうちの残りの端縁は、側縁１０６と側縁１０７とである。シート１１０から成形された袋２００においては、例えば上端１０１と下端１０２とが形成される。
【００５５】
袋２００は、上端１０１を含む上側縁部として、ヘッダ部１０５を含む。ヘッダ部１０５においては、シート１１０の内表面同士が溶着される。これにより、図示しない商品を収容するための空間の上端が形成される。
【００５６】
一方、下端１０２は開口している。後述するように、シート１１０の折り返しの後に、下端１０２の位置においてシート１１０が切断されることによって、下端１０２に開口１０２ａが形成される。商品は、開口１０２ａを通して内部の空間に投入される。商品が空間に投入された後には、下端１０２を含む下側縁部におけるシート１１０の内表面同士が溶着されることによって、開口１０２ａが塞がれる。ただし、下側縁部は、袋２００の表側または裏側に折り曲げられたうえで、シート１１０の外表面に貼り付けられてもよい。
【００５７】
図５は、シート１１０の正面図である。図示していないが、袋２００（図４参照）の材料としてのシート１１０は、ロール状に巻かれている。ロール状に巻かれたシート１１０が帯状に延びるように引き出されたうえで、製造のラインの上にシート１１０が載せられる。帯状のシート１１０が所定の長さごとに切断される場合には、図５に示す形状を有するシート１１０が形成される。コンベア等のライン上において、シート１１０は、矢が示す方向に運搬される。
【００５８】
シート１１０は、上端１０１が形成される位置の近傍の折返線１３３と、下端１０２が形成される位置の近傍の折返線１４４とにおいて折り返される。例えば、図５の裏側から表側に向かってシート１１０が折り返される。これにより、シート１１０の端縁１０８およびリップ部１１０ｃと、端縁１０９とが袋２００（図４参照）の背面側に配置されるように、裏側フィルム１１０ｂが袋２００の背面側に配置される。なお、リップ部１１０ｃは、裏側フィルム１１０ｂの一部である。シート１１０の中心付近に位置する部分は、表側フィルム１１０ａを形成する。また、側縁１０６，１０７においては、シート１１０の内表面同士が溶着される。
【００５９】
シート１１０の折曲によって、上端１０１が形成される位置と折返線１３３との間には余剰部１０３が形成される。また、下端１０２が形成される位置と折返線１４４との間には余剰部１０４が形成される。余剰部１０４は、商品が袋２００に収容される前において裁断される部分である。余剰部１０４が裁断されることによって、下端１０２および開口１０２ａ（図４参照）が形成される。一方、余剰部１０３は、商品の出荷前として、商品が袋２００に収容される前後において裁断されていればよい。なお、余剰部１０３，１０４は、シート１１０において印刷がなされない透明の部分であってもよい。
【００６０】
余剰部１０３においては、ヘッダ部１０５と同時にシート１１０の内表面同士が溶着される。ヘッダ部１０５の中心には、孔１５０が形成される。ヘッダ部１０５には、合成紙等の補強用のシート部材（図示せず）が含まれていてもよい。
【００６１】
図６に示すように、シート１１０は、端縁１０８と端縁１０９とが互いに重なるように折り曲げられる。袋２００においては、端縁１０８を含む一端側の縁部１８０が端縁１０９を含む他端側の縁部１９０に載るように、つまり、端縁１０８が端縁１０９よりも外側に配置されるように、シート１１０が折り曲げられる。なお、一端側の縁部１８０とは、外側（上側）の層であるリップ部１１０ｃのうち、内側（下側）の層のシート１１０と重なる部分のことをいう。一方、他端側の縁部９０とは、内側（下側）の層のシート１１０のうち、外側（上側）の層であるリップ部１１０ｃと重なる部分のことをいう。このように、リップ部１１０ｃの一部は、縁部１９０を覆う。
【００６２】
シート１１０には、粘着性を有するテープ１２０が貼り付けられる。テープ１２０は、互いに重ねられた端縁１０８と端縁１０９との隙間、さらには、縁部１８０と縁部１９０との隙間を塞ぐようにシート１１０に貼り付けられる。テープ１２０には、粘着剤層１２１が形成されている。端縁１０８を覆うようにテープ１２０が被せられたうえで、シート１１０の外表面に粘着剤層１２１が接着されることによって、隙間が塞がれる。
【００６３】
袋２００を開封する場合には、テープ１２０をシート１１０の外表面から剥がす。テープ１２０が剥がされることによって、端縁１０８と端縁１０９との隙間を通して、袋２００に収容される商品としての内容物（図示せず）を取り出すことができる。なお、テープ１２０の隅の一部においては、使用者がテープ１２０を容易に掴むことができるように、粘着剤層１２１が欠落していること、または、粘着剤層１２１が隠されていることが好ましい。
【００６４】
内容物を所望の量または数だけ取り出した後には、端縁１０８を覆うようにテープ１２０を被せながらシート１１０の外表面にテープ１２０を接着することによって、隙間を塞ぐことができる。このように、袋２００は、再封緘が可能であるように構成されている。また、袋２００は、取り出し用の開口を形成するためのミシン目がシート１１０に形成されていない比較的簡易な構成を有する。
【００６５】
例えば、側縁１０６（図４参照）の溶着の前にテープ１２０がシート１１０に貼り付けられることによって、袋２００の幅方向の一端においてテープ１２０の一端がシート１１０に接合される。これにより、袋２００の幅方向の一端においてテープ１２０が常にシート１１０に貼り付けられた状態を維持することができるため、テープ１２０を利用して容易に袋２００を再封緘することができる。一方、側縁１０７（図４参照）の溶着の前にテープ１２０がシート１１０に貼り付けられることにより、袋２００の幅方向の他端においてテープ１２０が常にシート１１０に貼り付けられた状態を維持することができる。
【００６６】
一方、端縁１０８と端縁１０９とが互いに重ねられた袋２００の構成によれば、テープ１２０を貼り付けること無く、完全でなくても、取り出し用の開口を閉じるように端縁１０８と端縁１０９との隙間を塞ぐことは可能である。すなわち、縁部１８０と縁部１９０とが重なる範囲を調整することにより、再封緘時にテープ１２０が貼り付けられなくても、端縁１０８と端縁１０９との隙間を塞ぐことができる。縁部１８０と縁部１９０とが重なる範囲は、内容物の寸法および形状に応じて調整されることが好ましい。なお、袋２００に収容される内容物の例は、上記の第１実施形態の袋１００に収容される内容物の例と同様である。
【００６７】
袋２００は、例えば以下の工程を含む方法によって製造および成形される。上記のように、ロール状に巻かれたシート１１０が引き出されたうえで、帯状のシート１１０がライン上で運搬される（図５参照）。先ず、折返線１３３，１４４においてシート１１０が折り曲げられる。シート１１０の折曲の後には、ヘッダ部１０５および余剰部１０３と、余剰部１０４とが溶着される。また、袋２００の側縁１０６の位置において、ライン上の後ろに続くシート１１０から所定の寸法ごとにシート１１０が溶断される。これにより、ライン上の後に続くシート１１０であって、側縁１０７におけるシート１１０の内表面同士が溶着される。切断されたシート１１０の外表面に、所定の寸法（長さ）を有し、且つ、粘着剤層１２１（図６参照）を含むテープ１２０が貼り付けられる。このように、袋２００においては、ミシン目を付ける工程が省かれるため、比較的少ない工程で製造することができる。
【００６８】
製造された袋２００は、下端１０２の開口１０２ａが閉じられていない状態で流通されてもよく、開口１０２ａが閉じられた状態で流通されてもよい。つまり、余剰部１０４（図５参照）は、内容物の封入までに、袋２００の内部の清潔な状態を保つために裁断されずに残されていてもよく、流通過程に入る前に裁断されていてもよい。
【００６９】
このように、袋２００（図４参照）は、端縁１０８と端縁１０８に対向する端縁１０９とを含む４つの端縁を有するシート１１０が折り曲げられ、且つ、端縁１０８と端縁１０９とを除く２つの端縁のうちの側縁１０６および側縁１０７におけるシート１１０の内表面同士が溶着されることによって形成される。
【００７０】
一方、ロール状に巻かれたシート１１０が流通されていてもよい。さらに、端縁１０８を覆うようにテープ１２０がリップ部１１０ｃに貼り付けられたシート１１０であって、ロール状に巻かれたシート１１０を流通させることも可能である。この場合には、粘着剤層１２１の一部を覆う剥離テープ（図示せず）がテープ１２０の裏面に貼り付けられていることが好ましい。
【００７１】
第２実施形態の袋２００のその他の構成および作用効果は、第１実施形態の袋１００と同様である。したがって、第２実施形態の袋２００のその他の構成および作用効果については、説明を省略する。
【００７２】
（第３実施形態）
以下において、第３実施形態の商品包装袋３００について、図７〜９を用いて説明する。なお、以下において、第１実施形態の袋１００の構成と同様の機能を有する構成には、同符号を付す。図７は、第３実施形態の商品包装袋（以下、袋という）３００を示す背面図である。図７には、袋３００の下端２に形成される開口２ａが開けられた状態の袋３００を示す。図８は、袋３００の一部を拡大して示す断面図であって、図７のＶＩＩＩ−ＶＩＩＩ線の断面図である。図９は、袋３００の一部を拡大して示す断面図であって、商品（図示せず）を取り出すための開口が開けられた状態を示す図である。
【００７３】
第３実施形態の袋３００においては、第１実施形態の袋１００と同様に、商品としての内容物を取り出すための開口が、袋３００の上下方向（図７の上下方向）に沿って形成される。これにより、テープ２０も袋３００の上下方向に沿って延びる。一方、第３実施形態の袋３００が第１，２実施形態の袋１００，２００と異なる点は、第３実施形態の袋３００は、後述するように、固着部２８９と、ミシン目２８１と、接合部２８２とを含む。
【００７４】
図８に示すように、固着部２８９は、端縁８の内表面と端縁９の外表面とが固着するように、さらには、縁部８０の内表面と縁部９０の外表面とが固着するように、端縁８と端縁９との間に形成される。なお、固着部２８９は、例えば接着剤等、縁部８０と縁部９０とを固着させる材料の層である。縁部８０と縁部９０との固着は、溶着であってもよい。
【００７５】
ミシン目２８１は、上側（外側）のシート１０の層において端縁８と端縁９とが重なる範囲（言い換えると、縁部８０）に形成される。例えば、ミシン目２８１は、シート１０の外表面の側からでなく、内表面の側から加工されることによって形成される。ミシン目２８１は、例えば、ヘッダ部５（図７参照）におけるシート１０の内表面同士の溶着の前に形成されるため、開封に使用されるミシン目２８１の上端の位置は、ヘッダ部５の下端の位置に略一致する。
【００７６】
シート１０には、テープ２０が貼り付けられる。端縁８とミシン目２８１とを覆うようにテープ２０が被せられたうえで、シート１０の外表面に粘着剤層２１が接着されることによって、端縁８と端縁９との隙間が塞がれる。
【００７７】
また、接合部２８２は、縁部８０における端縁８とミシン目２８１とに挟まれる部分をテープ２０に接合させる。接合部２８２は、例えば接着剤等、縁部８０とテープ２０とを固着または接合させる材料の層である。ここでいう固着または接合には、溶着が含まれる。接合部２８２における接合の強度は、固着部２８９における固着の強度よりも大きい。なお、接合部２８２は、テープ２０の内表面と端縁８を含む縁部８０の外表面とが単に合わさる部分として、シート１０における縁部８０の一部とテープ２０とが一体であるように構成されていてもよい。
【００７８】
袋３００を開封する場合には、図９に示すように、テープ２０をシート１０の外表面から剥がす。テープ２０とシート１０の外表面とは接合部２８２において接合しているため、テープ２０を剥がすと同時に、ミシン目２８１と端縁８との間の縁部８０の一部は、テープ２０に連れられて、ミシン目２８１に沿ってシート１０から分離される。また、上記のように、接合部２８２における接合の強度は、固着部２８９における固着の強度よりも大きい。そのため、ミシン目２８１に沿ってシート１０から縁部８０の一部が分離されると同時に、端縁８の内表面と端縁９の外表面との固着が解除される。これにより、分離された縁部８０の一部がテープ２０とともに縁部９０の外表面から剥がされる。なお、この固着が解除されるときに、固着部２８９はテープ２０に連れられた縁部８０の一部に固着されていてもよく、この縁部８０の一部と縁部９０の外表面とに固着されていてもよい。
【００７９】
テープ２０がシート１０の外表面から剥がされた後には、ミシン目２８１と端縁９との隙間、詳しくは、ミシン目２８１を含む縁部８０の残りの一部と縁部９０との隙間を通して、内容物（図示せず）を取り出すことができる。このように、使用者は、シート１０からテープ２０を剥がすことによって、ミシン目２８１に沿ってシート１０を破ることができる。つまり、使用者は、比較的強く両手に力を入れる必要が無く、袋３００を容易に開封することができる。
【００８０】
内容物を所望の量または数だけ取り出した後には、テープ２０に接合された縁部８０の一部における切れ端と、縁部８０の残りの一部における切れ端とが合わさるように、テープ２０をシート１０に被せる。これにより、シート１０の外表面にテープ２０が接着されることによって隙間が塞がれる。このように、袋３００は、再封緘が可能であるように構成されている。
【００８１】
なお、テープ２０に接合された縁部８０の一部であって、端縁８を含む縁部８０の一部を、袋３００を一度開封した後にテープ２０から分離することができるように、接合部２８２または袋３００が構成されていてもよい。また、袋３００を一度開封した後に固着部２８９を縁部９０または縁部８０から分離することができるように、固着部２８９または袋３００が構成されていてもよい。
【００８２】
なお、固着部２８９の幅（図８の左右方向の寸法）と、接合部２８２の幅（図８の左右方向の寸法）との大小のいずれかは限定されない。
【００８３】
なお、袋３００は、第１実施形態の袋１００（図１参照）と同様に、上端１およびヘッダ部５を含む上側縁部においてテープ２０が常にシート１０に貼り付けられた状態を維持することができるように構成されていてもよく、下端２を含む下側縁部においてテープ２０が常にシート１０に貼り付けられた状態を維持することができるように構成されていてもよい。
【００８４】
一方、端縁８と端縁９とが互いに重ねられた袋３００の構成によれば、第１実施形態の袋１００（図１参照）と同様に、テープ２０を貼り付けること無く、完全でなくても、取り出し用の開口を閉じるように端縁８と端縁９との隙間を塞ぐことは可能である。また、第１実施形態の袋１００（図１参照）と同様に、袋３００の材料としてのシート１０であって、ロール状に巻かれたシート１０が流通されていてもよく、さらに、端縁８を覆うようにテープ２０が裏側フィルム１０ｂに貼り付けられ且つ接合部２８２を含むシート１０であって、ロール状に巻かれたシート１０を流通させることも可能である。これらのロール状に巻かれたシート１０には、ミシン目２８１が形成されていてもよい。
【００８５】
なお、袋３００に収容される内容物の例は、上記の第１実施形態の袋１００に収容される内容物の例と同様である。一方、袋３００は、端縁８の内表面と端縁９の外表面との固着によって、開封前の気密性を十分に保つことができるため、気密性が要求される内容物を収容することにも適している。すなわち、袋３００は、個別に包装されていない内容物を収容する商品包装袋であってもよい。
【００８６】
以上のように、袋３００においては、端縁８が端縁９の外側に載るようにシート１０が折り曲げられる。袋３００は、固着部２８９と、ミシン目２８１と、接合部２８２とを含む。固着部２８９は、端縁８の内表面と端縁９の外表面とが固着するように、端縁８と端縁９との間に形成される。ミシン目２８１は、端縁８において、端縁８と端縁９とが重なる範囲に形成される。接合部２８２は、端縁８とミシン目２８１とに挟まれる部分をテープ２０に接合させる。接合部２８２における接合の強度は、固着部２８９における固着の強度よりも大きい。
【００８７】
この構成によれば、シート１０からテープを剥がすと同時に、テープ２０に連れられて端縁８の一部がミシン目２８１に沿ってシート１０から切り離されるとともに、端縁８の内表面と端縁９の外表面との固着を解除することができる。これにより、袋３００において、シート１０のうちのミシン目２８１の切れ端と端縁９との隙間が、内容物を取り出すための開口として形成される。このように、この構成によれば、使用者は、ミシン目２８１に沿ってシート１０を破るために、比較的強く両手に力を入れる必要が無く、テープ２０を剥がす要領で袋３００を開封することができる。このように、袋３００においては、開封時における使用者の負担を軽減させることができる。
【００８８】
さらに、この構成によれば、袋３００の開封前には、粘着性を有するテープ２０が貼り付けられたシート１０の下方（内側）の層において、端縁８の内表面と端縁９の外表面とが固着されている。これにより、開封前においては、端縁８の内表面と端縁９の外表面との間に隙間が形成されること無く、気密性を十分に保つことができる。
【００８９】
このようにすることにより、開封時における使用者の負担を軽減させることが可能であって、且つ、開封前の気密性を十分に保つことが可能な袋３００を提供することができる。
【００９０】
第３実施形態の袋３００のその他の構成および作用効果は、第１実施形態の袋１００と同様である。したがって、第３実施形態の袋３００のその他の構成および作用効果については、説明を省略する。
【００９１】
（第４実施形態）
以下において、第４実施形態の商品包装袋４００について、図１０〜１２を用いて説明する。なお、以下において、第２実施形態の袋２００の構成と同様の機能を有する構成には、同符号を付す。図１０は、第４実施形態の商品包装袋（以下、袋という）４００を示す背面図である。図１０には、袋４００の下端１０２に形成される開口１０２ａが開けられた状態の袋４００を示す。図１１は、袋４００の一部を拡大して示す断面図であって、図１０のＸＩ−ＸＩ線の断面図である。図１２は、袋４００の一部を拡大して示す断面図であって、商品（図示せず）を取り出すための開口が開けられた状態を示す図である。
【００９２】
第４実施形態の袋４００においては、第２実施形態の袋２００と同様に、商品としての内容物を取り出すための開口が、袋４００の幅方向（図１０の左右方向）に沿って形成される。これにより、テープ１２０も袋４００の幅方向に沿って延びる。一方、第４実施形態の袋４００が第１，２実施形態の袋１００，２００と異なる点は、第４実施形態の袋４００は、第３実施形態の袋３００のように、固着部３８９と、ミシン目３８１と、接合部３８２とを含む。
【００９３】
図１１に示すように、固着部３８９は、端縁１０８の内表面と端縁１０９の外表面とが固着するように、さらには、縁部１８０の内表面と縁部１９０の外表面とが固着するように、端縁１０８と端縁１０９との間に形成される。なお、固着部３８９のその他の構成は、第３実施形態の袋３００における固着部２８９（図８参照）と同様である。
【００９４】
ミシン目３８１は、上側（外側）のシート１１０の層、つまり、リップ部１１０ｃにおいて、端縁１０８と端縁１０９とが重なる範囲（言い換えると、縁部１８０）に形成される。例えば、ミシン目３８１は、リップ部１１０ｃの外表面の側からでなく、内表面の側から加工されることによって形成される。ミシン目２８１の両端の位置は、袋４００における側縁１０６の位置と側縁１０７の位置とに略一致する。
【００９５】
シート１１０には、テープ１２０が貼り付けられる。端縁１０８とミシン目３８１とを覆うようにテープ１２０が被せられたうえで、シート１１０の外表面に粘着剤層１２１が接着されることによって、端縁１０８と端縁１０９との隙間が塞がれる。
【００９６】
また、接合部３８２は、縁部１８０における端縁１０８とミシン目３８１とに挟まれる部分をテープ１２０に接合させる。接合部３８２における接合の強度は、固着部３８９における固着の強度よりも大きい。なお、接合部３８２のその他の構成は、第３実施形態の袋３００における接合部２８２（図８参照）と同様である。
【００９７】
袋４００を開封する場合には、図１２に示すように、テープ１２０をシート１１０の外表面から剥がす。テープ１２０とリップ部１１０ｃの外表面とは接合部３８２において接合しているため、テープ１２０を剥がすと同時に、ミシン目３８１と端縁１０８との間の縁部１８０の一部は、テープ１２０に連れられて、ミシン目３８１に沿ってリップ部１１０ｃから分離される。また、上記のように、接合部３８２における接合の強度は、固着部３８９における固着の強度よりも大きい。そのため、ミシン目３８１に沿ってリップ部１１０ｃから縁部１８０の一部が分離されると同時に、端縁１０８の内表面と端縁１０９の外表面との固着が解除される。これにより、分離された縁部１８０の一部がテープ１２０とともに縁部１９０の外表面から剥がされる。
【００９８】
テープ１２０がシート１１０の外表面から剥がされた後には、ミシン目３８１と端縁１０９との隙間、詳しくは、ミシン目３８１を含む縁部１８０の残りの一部と縁部１９０との隙間を通して、内容物（図示せず）を取り出すことができる。このように、使用者は、比較的強く両手に力を入れる必要が無く、袋４００を容易に開封することができる。内容物が所望の量または数だけ取り出された後には、第３実施形態の袋３００と同様に、隙間が塞がれる。
【００９９】
一方、端縁１０８と端縁１０９とが互いに重ねられた袋４００の構成によれば、第２実施形態の袋２００（図４参照）と同様に、テープ１２０を貼り付けること無く、完全でなくても、取り出し用の開口を閉じるように端縁１０８と端縁１０９との隙間を塞ぐことは可能である。また、第２実施形態の袋２００（図４参照）と同様に、袋４００の材料としてのシート１１０であって、ロール状に巻かれたシート１１０が流通されていてもよく、さらに、端縁１０８を覆うようにテープ１２０がリップ部１１０ｃに貼り付けられ且つ接合部３８２を含むシート１１０であって、ロール状に巻かれたシート１１０を流通させることも可能である。これらのロール状に巻かれたシート１１０には、ミシン目３８１が形成されていてもよい。
【０１００】
なお、袋４００に収容される内容物の例は、上記の第３実施形態の袋３００に収容される内容物の例と同様である。
【０１０１】
第４実施形態の袋４００のその他の構成は、第２実施形態の袋２００と同様である。また、第４実施形態の袋４００の作用効果は、第１〜第３実施形態の袋１００，２００，３００と同様である。したがって、第４実施形態の袋４００のその他の構成および作用効果については、説明を省略する。
【０１０２】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【０１０３】
８：端縁、９：端縁、１０：シート、２０：テープ、８０：縁部、９０：縁部、１００：商品包装袋
【図１】
2015024831.tif 000003
【図２】
2015024831.tif 000004
【図３】
2015024831.tif 000005
【図４】
2015024831.tif 000006
【図５】
2015024831.tif 000007
【図６】
2015024831.tif 000008
【図７】
2015024831.tif 000009
【図８】
2015024831.tif 000010
【図９】
2015024831.tif 000011
【図１０】
2015024831.tif 000012
【図１１】
2015024831.tif 000013
【図１２】
2015024831.tif 000014